(57)【要約】【課題】適切なコンポーネントキャリアへデータを割り当てて、スループットを向上させること。【解決手段】基地局１０において、ＬＣＨプライオリティ抽出部１０１は、送信データに付加されているＬＣＨプライオリティを抽出し、抽出したＬＣＨプライオリティを割当ＣＣ決定部１０２に出力し、割当ＣＣ決定部１０２は、ＬＣＨプライオリティ抽出部１０１から入力されたＬＣＨプライオリティに基づいて、送信データを割り当てるＣＣを決定し、割当結果に応じて、局部信号発生部１０６の周波数を制御する。割当ＣＣ決定部１０２は、ＬＣＨプライオリティが高い送信データを低い周波数帯に含まれるコンポーネントキャリアに割り当てる一方で、ＬＣＨプライオリティが低いデータを高い周波数帯に含まれるコンポーネントキャリアに割り当てる。【選択図】図２
2013214831.tif 000002
【特許請求の範囲】
【請求項１】
それぞれが複数の単位バンドを含む複数の周波数帯のいずれかを用いて通信可能な基地局装置であって、
データの優先度、データの最大伝送レート、データの送信先の移動局装置と前記基地局装置との間の距離、または、前記移動局装置からランダムアクセスチャネルを介して送信されたプリアンブル信号の受信試行回数に基づいて、前記データを割り当てる単位バンドを決定する決定部と、
決定された前記単位バンドを用いて前記データを送信する送信部と、
を具備する基地局装置。
【請求項２】
前記複数の周波数帯は、低周波数帯と、前記低周波数帯より周波数が高い高周波数帯とを含み、
前記優先度は、低優先度と、前記低優先度より優先度が高い高優先度とを含み、
前記決定部は、前記高優先度のデータを前記低周波数帯に含まれる単位バンドに割り当てる一方で、前記低優先度のデータを前記高周波数帯に含まれる単位バンドに割り当てる、
請求項１に記載の基地局装置。
【請求項３】
前記複数の周波数帯は、低周波数帯と、前記低周波数帯より周波数が高い高周波数帯とを含み、
前記最大伝送レートは、低伝送レートと、前記低伝送レートより伝送レートが高い高伝送レートとを含み、
前記決定部は、前記高伝送レートのデータを前記低周波数帯に含まれる単位バンドに割り当てる一方で、前記低伝送レートのデータを前記高周波数帯に含まれる単位バンドに割り当てる、
請求項１に記載の基地局装置。
【請求項４】
前記複数の周波数帯は、低周波数帯と、前記低周波数帯より周波数が高い高周波数帯とを含み、
前記距離は、短距離と、前記短距離より距離が長い長距離とを含み、
前記決定部は、前記長距離にある移動局装置へのデータを前記低周波数帯に含まれる単位バンドに割り当てる一方で、前記短距離にある移動局装置へのデータを前記高周波数帯に含まれる単位バンドに割り当てる、
請求項１に記載の基地局装置。
【請求項５】
前記決定部は、
前記受信試行回数が閾値以下のときには、前記プリアンブル信号の受信に用いられた周波数帯と同一の周波数帯に含まれる単位バンドに前記データを割り当てる一方で、
前記受信試行回数が前記閾値より大きいときには、前記プリアンブル信号の受信に用いられた周波数帯と異なる周波数帯に含まれる単位バンドに前記データを割り当てる、
請求項１に記載の基地局装置。
【請求項６】
それぞれが複数の単位バンドを含む複数の周波数帯のいずれかを用いて通信可能な移動局装置であって、
前記複数の単位バンドのいずれかに、データの優先度、データの最大伝送レート、当該移動局装置と基地局装置との間の距離、または、ランダムアクセスチャネルのプリアンブル信号の前記基地局装置における受信試行回数に基づいて割り当てられたデータ、及び、前記データが割り当てられた単位バンドを示す割当結果を受信する受信部と、
前記複数の周波数帯において前記受信部の受信周波数帯を前記割当結果に応じて制御する制御部と、
を具備する移動局装置。
【請求項７】
それぞれが複数の単位バンドを含む複数の周波数帯のいずれかを用いて通信可能な基地局装置において用いられる無線送信方法であって、
データの優先度、データの最大伝送レート、データの送信先の移動局装置と前記基地局装置との間の距離、または、前記移動局装置からランダムアクセスチャネルを介して送信されたプリアンブル信号の受信試行回数に基づいて、前記データを割り当てる単位バンドを決定し、
決定された前記単位バンドを用いて前記データを送信する、
無線送信方法。
【請求項８】
それぞれが複数の単位バンドを含む複数の周波数帯のいずれかを用いて通信可能な移動局装置において用いられる無線受信方法であって、
前記複数の単位バンドのうちの、データが割り当てられた単位バンドを示す割当結果を受信し、
前記複数の周波数帯において受信周波数帯を前記割当結果に応じて制御し、
前記複数の単位バンドのいずれかに、データの優先度、データの最大伝送レート、当該移動局装置と基地局装置との間の距離、または、ランダムアクセスチャネルのプリアンブル信号の前記基地局装置における受信試行回数に基づいて割り当てられたデータを、制御後の前記受信周波数帯に従って受信する、
無線受信方法。
【発明の詳細な説明】
【技術分野】
【０００１】
本発明は、基地局装置、移動局装置、無線送信方法及び無線受信方法に関する。
【背景技術】
【０００２】
３ＧＰＰ―ＬＴＥ−Ａ（3rd  Generation  Partnership  Project  Long  Term  Evolution-Advanced）では、１つの基地局装置（以下「基地局」と省略する）は、移動局装置（以下「移動局」と省略する）との通信に、互いに異なる複数の周波数帯を使用することができる。また、３ＧＰＰ―ＬＴＥ−Ａでは、通信帯域の基本単位（以下「単位バンド」という）は、コンポーネントキャリア（Component  Carrier；以下「ＣＣ」と省略する）と称される。基地局が使用可能な複数の周波数帯はそれぞれ、複数のＣＣを含む。基地局は、移動局へデータを送信するに際し、いずれかの周波数帯のいずれかのＣＣにデータを割り当てる。
【先行技術文献】
【特許文献】
【０００３】
【特許文献１】特表２０１１−５０１８８７号公報
【特許文献２】特表２０１１−５１４７４６号公報
【特許文献３】国際公開第２００８／１０８２２２号
【発明の概要】
【発明が解決しようとする課題】
【０００４】
しかしながら、各ＣＣへの適切なデータ割当についての具体的な検討はなされていない。
【０００５】
本明細書に開示の技術は、上記に鑑みてなされたものであって、適切なＣＣへデータを割り当てて、スループットを向上させることを目的とする。
【課題を解決するための手段】
【０００６】
本願の開示する基地局は、それぞれが複数の単位バンドを含む複数の周波数帯のいずれかを用いて通信可能な基地局であって、データの優先度、データの最大伝送レート、データの送信先の移動局装置と前記基地局装置との間の距離、または、前記移動局装置からランダムアクセスチャネルを介して送信されたプリアンブル信号の受信試行回数に基づいて、前記データを割り当てる単位バンドを決定する決定部と、決定された前記単位バンドを用いて前記データを送信する送信部と、を具備する。
【０００７】
本願の開示する移動局は、それぞれが複数の単位バンドを含む複数の周波数帯のいずれかを用いて通信可能な移動局であって、前記複数の単位バンドのいずれかに、データの優先度、データの最大伝送レート、当該移動局と基地局との間の距離、または、ランダムアクセスチャネルのプリアンブル信号の基地局における受信試行回数に基づいて割り当てられたデータ、及び、前記データが割り当てられた単位バンドを示す割当結果を受信する受信部と、前記複数の周波数帯において前記受信部の受信周波数帯を前記割当結果に応じて制御する制御部と、を具備する。
【発明の効果】
【０００８】
本願の開示する基地局、移動局、無線送信方法及び無線受信方法によれば、適切なＣＣへデータを割り当てて、スループットを向上させることができる。
【図面の簡単な説明】
【０００９】
【図１】図１は、データ信号の送信に用いられる周波数帯の一例を示す図である。
【図２】図２は、実施の形態１の基地局の構成例を示すブロック図である。
【図３】図３は、実施の形態１の割当ＣＣ決定部の処理の説明に供する図である。
【図４】図４は、実施の形態１の割当の具体例の説明に供する図である。
【図５】図５は、実施の形態１の基地局の動作の説明に供するフローチャートである。
【図６】図６は、実施の形態２の基地局の構成例を示すブロック図である。
【図７】図７は、実施の形態２の割当ＣＣ決定部の処理の説明に供する図である。
【図８】図８は、実施の形態２の割当の具体例の説明に供する図である。
【図９】図９は、実施の形態２の基地局の動作の説明に供するフローチャートである。
【図１０】図１０は、実施の形態３の基地局の構成例を示すブロック図である。
【図１１】図１１は、実施の形態３の割当ＣＣ決定部の処理の説明に供する図である。
【図１２】図１２は、実施の形態３の割当の具体例の説明に供する図である。
【図１３】図１３は、実施の形態３の基地局の動作の説明に供するフローチャートである。
【図１４】図１４は、実施の形態４の基地局の構成例を示すブロック図である。
【図１５】図１５は、実施の形態４の基地局の動作の説明に供するフローチャートである。
【図１６】図１６は、実施の形態５の移動局の構成例を示すブロック図である。
【図１７】図１７は、基地局のハードウェア構成例を示す図である。
【図１８】図１８は、移動局のハードウェア構成例を示す図である。
【発明を実施するための形態】
【００１０】
図１は、データ信号の送信に用いられる周波数帯の一例を示す図である。図１に示すように、３ＧＰＰ―ＬＴＥ−Ａでは、基地局は、移動局との通信に、複数の周波数帯を使用することができる。例えば基地局は、７００MHz帯、８００MHz帯、９００MHz帯、１.５GHz帯、１.７GHz帯、２.０GHz帯等の複数の周波数帯を使用可能である。図１には、低い周波数帯の一例として８００MHz帯を示し、高い周波数帯の一例として２.０GHz帯を示す。本明細書に開示の技術では、基地局が使用可能な複数の周波数帯は、高い周波数帯、または、低い周波数帯のいずれかに分類される。例えば、７００MHz帯、８００MHz帯、９００MHz帯は低い周波数帯に分類され、１.５GHz帯、１.７GHz帯、２.０GHz帯は高い周波数帯に分類される。
【００１１】
ここで、低い周波数帯は、高い周波数帯に比べ、回折性が良いため、低い周波数帯では、障害物があっても電波が届きやすく、室内へも電波が届きやすい。一方で、高い周波数帯は直進性が強いため、高い周波数帯では、障害物があると電波が届きにくい。よって、障害物がある環境では、低い周波数帯の方が、高い周波数帯よりも、遠くまで電波が届きやすい。
【００１２】
本発明者は、このように、基地局が使用可能な複数の周波数帯において、低い周波数帯は、高い周波数帯に比べ、電波の伝搬特性が良好であることに着目し、以下の実施の形態に想到した。
【００１３】
以下に、本願の開示する基地局装置、移動局装置、無線送信方法及び無線受信方法の実施の形態を図面に基づいて詳細に説明する。なお、以下の実施の形態により本願の開示する基地局装置、移動局装置、無線送信方法及び無線受信方法が限定されるものではない。また、各実施の形態において同一の機能を有する構成には同一の符号を付し、重複する説明は省略される。
【００１４】
［実施の形態１］
＜基地局１０の構成＞
図２は、本実施の形態の基地局の構成例を示すブロック図である。図２において、基地局１０は、ＬＣＨ（Logical  Channel）プライオリティ抽出部１０１、割当ＣＣ決定部１０２、符号化／変調部１０３、ＩＦＦＴ（Inverse  Fast  Fourier  Transform）部１０４、Ｄ／Ａ変換部１０５、局部信号発生部１０６、アップコンバータ１０７、アンテナ１０８、ダウンコンバータ１０９、Ａ／Ｄ変換部１１０、ＦＦＴ（Fast  Fourier  Transform）部１１１、及び、復調／復号部１１２を有する。
【００１５】
ＬＣＨプライオリティ抽出部１０１は、送信データに付加されているＬＣＨプライオリティを抽出し、抽出したＬＣＨプライオリティを割当ＣＣ決定部１０２に出力するとともに、送信データを符号化／変調部１０３に出力する。ＬＣＨプライオリティは送信データの優先度を示すものであり、データの重要度、緊急度、リアルタイム性、ＱｏＳ（Quality  of  Service）、または、総データ量等に応じて上位のレイヤにおいて送信データ毎に設定されて、送信データに付加されるものである。
【００１６】
割当ＣＣ決定部１０２は、ＬＣＨプライオリティ抽出部１０１から入力されたＬＣＨプライオリティに基づいて、各送信データを割り当てるＣＣ（以下「割当ＣＣ」という）を決定し、割当結果に応じて、局部信号発生部１０６の周波数を制御する。割当ＣＣ決定部１０２は、割当結果に応じた周波数帯を示す制御信号を局部信号発生部１０６に出力することにより、局部信号発生部１０６が発生するローカル信号の周波数を制御する。これにより、割当結果に応じて、アップコンバータ１０７における送信周波数帯、及び、ダウンコンバータ１０９における受信周波数帯が制御される。また、割当ＣＣ決定部１０２は、決定した割当ＣＣを示す割当結果を符号化／変調部１０３に出力する。割当ＣＣ決定部１０２の処理の詳細は後述する。
【００１７】
符号化／変調部１０３は、送信データ及び割当結果を符号化後に変調し、変調後のデータをＩＦＦＴ部１０４に出力する。
【００１８】
ＩＦＦＴ部１０４は、変調後のデータにＩＦＦＴ処理を施してＯＦＤＭ（Orthogonal  Frequency  Division  Multiplexing）信号を生成し、生成したＯＦＤＭ信号をＤ／Ａ変換部１０５に出力する。
【００１９】
Ｄ／Ａ変換部１０５は、デジタルのＯＦＤＭ信号をアナログのＯＦＤＭ信号に変換し、変換後のＯＦＤＭ信号をアップコンバータ１０７に出力する。
【００２０】
局部信号発生部１０６は、割当ＣＣ決定部１０２から入力される制御信号に従った周波数のローカル信号を発生してアップコンバータ１０７及びダウンコンバータ１０９に出力する。なお、局部信号発生部１０６は、割当結果については、所定の周波数のローカル信号を発生してアップコンバータ１０７に出力する。
【００２１】
アップコンバータ１０７は、Ｄ／Ａ変換部１０５から入力されるＯＦＤＭ信号と、局部信号発生部１０６から入力されるローカル信号とをミキサしてＯＦＤＭ信号の周波数をアップコンバートし、アップコンバート後のＯＦＤＭ信号をアンテナ１０８を介して移動局へ送信する。
【００２２】
なお、割当結果は、各ＣＣに割り当てられたデータに先だって、移動局へ送信される。
【００２３】
一方、ダウンコンバータ１０９は、移動局から送信されたＯＦＤＭ信号をアンテナ１０８を介して受信し、受信したＯＦＤＭ信号と、局部信号発生部１０６から入力されるローカル信号とをミキサしてＯＦＤＭ信号の周波数をダウンコンバートし、ダウンコンバート後のＯＦＤＭ信号をＡ／Ｄ変換部１１０に出力する。
【００２４】
Ａ／Ｄ変換部１１０は、アナログのＯＦＤＭ信号をデジタルのＯＦＤＭ信号に変換し、変換後のＯＦＤＭ信号をＦＦＴ部１１１に出力する。
【００２５】
ＦＦＴ部１１１は、Ａ／Ｄ変換後のＯＦＤＭ信号にＦＦＴ処理を施し、ＦＦＴ処理後の信号を復調／復号部１１２に出力する。
【００２６】
復調／復号部１１２は、ＦＦＴ処理後の信号を復調後に復号して、受信データを得る。
【００２７】
なお、ＯＦＤＭ信号にはＣＰ（Cyclic  Prefix）が付加されてもよい。この場合には、ＩＦＦＴ部１０４の出力段でＣＰが付加され、ＦＦＴ部１１１の入力段でＣＰが除去される。
【００２８】
＜割当ＣＣ決定部１０２の処理＞
優先度が高いデータほど、より確実に移動局へ届けたい。一方で、優先度が低いデータは、移動局に届かなくても影響が少ないデータであることが多い。また、優先度が高いデータが伝送途中で失われると、スループットの低下に対する影響が大きいことが多い。換言すれば、優先度が高いデータを確実に移動局へ届けることにより、スループットの向上を望める。つまり、優先度が高いデータほどスループットの向上に対する寄与度が大きい。そこで、本実施の形態では、以下のように、優先度が高いデータを伝搬特性が良好である低い周波数帯に含まれるＣＣに割り当てる。
【００２９】
図３は、本実施の形態の割当ＣＣ決定部の処理の説明に供する図である。
【００３０】
基地局１０が使用可能な複数の周波数帯のそれぞれに含まれるＣＣの数をＸｉ（ｉ＝１〜Ｍの整数）とする。また、各送信データのＬＣＨプライオリティをＰｊ（ｊ＝１〜Ｎの整数）とし、ＰＮをＬＣＨプライオリティの最大値とする。
【００３１】
割当ＣＣ決定部１０２は、全周波数帯のＣＣ数に対する特定の周波数帯のＣＣ数Ｘｉの比率に応じて、ＬＣＨプライオリティＰｊを各周波数帯に配分する。
【００３２】
まず、割当ＣＣ決定部１０２は、特定の周波数帯に配分するＬＣＨプライオリティの数Ｙｉを式（１）により求める。割当ＣＣ決定部１０２は、Ｙｉが小数になる場合は、Ｙｉを四捨五入して整数にする。
【数１】
2013214831.tif 000003
【００３３】
割当ＣＣ決定部１０２は、式（１）によりＬＣＨプライオリティ数Ｙｉを求めた後、ＬＣＨプライオリティの最大値ＰＮからＬＣＨプライオリティの最小値Ｐ１までのＬＣＨプライオリティＰｊを、基地局１０が使用可能なＭ個の周波数帯において、最も低い周波数帯から順番に配分する。図３に示すように、Ｍ個の周波数帯がそれぞれ、Ｘ１，Ｘ２，Ｘ３…，ＸＭ個のＣＣを含む場合、Ｘｉ個のＣＣを含む周波数帯にはＹＭ個のＬＣＨプライオリティのうちＹｉ個のＬＣＨプライオリティが配分される。
【００３４】
そして、割当ＣＣ決定部１０２は、この配分に従って、各送信データのＬＣＨプライオリティに基づいて割当ＣＣを決定する。
【００３５】
具体例を以下に示す。図４は、本実施の形態の割当の具体例の説明に供する図である。
【００３６】
基地局１０が使用可能な周波数帯を、８００MHz帯及び２GHz帯の２つの周波数帯とする。また、８００MHz帯が含むＣＣの数をＸ１＝６とし、２GHz帯が含むＣＣの数をＸ２＝２とする。また、送信データに設定可能なＬＣＨプライオリティはＰ１〜Ｐ１６の１６個とし、Ｐ１６をＬＣＨプライオリティの最大値とする。すなわち、Ｐ１６を設定された送信データが最も優先度が高く、Ｐ１を設定された送信データが最も優先度が低い。よって、式（１）において、Ｍ＝２，Ｎ＝１６となる。そこで、割当ＣＣ決定部１０２は、式（１）を用いて、以下のようにＹｉ（ｉ＝１，２）を求める。
【数２】
2013214831.tif 000004
【００３７】
よって、割当ＣＣ決定部１０２は、図４に示すように、低い周波数帯である８００MHz帯に含まれる６個のＣＣのいずれかに、Ｐ５〜Ｐ１６のいずれかのＬＣＨプライオリティが設定された送信データ、すなわち、高い優先度の送信データを割り当てる。また、割当ＣＣ決定部１０２は、図４に示すように、高い周波数帯である２GHz帯に含まれる２個のＣＣのいずれかに、Ｐ１〜Ｐ４のいずれかのＬＣＨプライオリティが設定された送信データ、すなわち、低い優先度の送信データを割り当てる。
【００３８】
＜基地局１０の動作＞
図５は、本実施の形態の基地局の動作の説明に供するフローチャートである。なお、図５に示す一連の処理は、１サブフレーム分の送信データに対し繰り返し実行される。
【００３９】
まず、ＬＣＨプライオリティ抽出部１０１は、送信データに付加されているＬＣＨプライオリティを抽出する（ステップＳ２０１）。
【００４０】
次いで、割当ＣＣ決定部１０２は、送信データの優先度に応じて、割当ＣＣを上記＜割当ＣＣ決定部１０２の処理＞に示すようにして決定する（ステップＳ２０２）。
【００４１】
次いで、割当ＣＣ決定部１０２は、ステップＳ２０２で決定した割当ＣＣに空きが有るか否か確認し（ステップＳ２０３）、空きが有る場合は（ステップＳ２０３：Ｙｅｓ）、割当ＣＣへ送信データを割り当てて処理を終了する（ステップＳ２０４）。
【００４２】
一方、割当ＣＣ決定部１０２は、ステップＳ２０２で決定した割当ＣＣに空きが無い場合は（ステップＳ２０３：Ｎｏ）、他の周波数帯のＣＣに空きが有るか否か確認する（ステップＳ２０５）。
【００４３】
そして、割当ＣＣ決定部１０２は、他の周波数帯のＣＣに空きが有る場合は（ステップＳ２０５：Ｙｅｓ）、そのＣＣに送信データを割り当てて処理を終了する（ステップＳ２０６）。この際、割当ＣＣ決定部１０２は、ステップＳ２０２で決定した割当ＣＣにより近い周波数のＣＣに送信データを割り当てるのが好ましい。
【００４４】
一方、割当ＣＣ決定部１０２は、他の周波数帯のＣＣに空きが無い場合は（ステップＳ２０５：Ｎｏ）、ＣＣへの送信データの割り当てを保留にしたまま、処理を終了する。
【００４５】
以上のように本実施の形態によれば、それぞれが複数のＣＣを含む複数の周波数帯のいずれかを用いて通信可能な基地局１０において、割当ＣＣ決定部１０２は、高い優先度のデータを低い周波数帯に含まれるＣＣに割り当てる一方で、低い優先度のデータを高い周波数帯に含まれるＣＣに割り当てる。
【００４６】
これにより、優先度が高いデータほど、より伝搬特性が良好な周波数帯に割り当てられ、よって、スループットを向上させることができる。
【００４７】
［実施の形態２］
本実施の形態は、データの最大伝送レートに基づいて割当ＣＣを決定するものである。
【００４８】
＜基地局３０の構成＞
図６は、本実施の形態の基地局の構成例を示すブロック図である。図６において、基地局３０は、割当ＣＣ決定部３０１、符号化／変調部１０３、ＩＦＦＴ部１０４、Ｄ／Ａ変換部１０５、局部信号発生部１０６、アップコンバータ１０７、アンテナ１０８、ダウンコンバータ１０９、Ａ／Ｄ変換部１１０、ＦＦＴ部１１１、及び、復調／復号部１１２を有する。
【００４９】
割当ＣＣ決定部３０１には、送信データに設定されたＡＭＢＲ（Aggregate  Maximum  Bit  Rate）値が入力される。ＡＭＢＲ値は、ＭＭＥ（Mobility  Management  Entity）によって送信データに設定されるものである。また、ＡＭＢＲ値は送信データの最大伝送レートを示すものであり、データの重要度、緊急度、リアルタイム性、ＱｏＳ、または、総データ量等に応じて送信データ毎に設定されるものである。
【００５０】
割当ＣＣ決定部３０１は、入力されたＡＭＢＲ値に基づいて割当ＣＣを決定し、割当結果に応じて、局部信号発生部１０６の周波数を制御する。割当ＣＣ決定部３０１は、割当結果に応じた周波数帯を示す制御信号を局部信号発生部１０６に出力することにより、局部信号発生部１０６が発生するローカル信号の周波数を制御する。これにより、割当結果に応じて、アップコンバータ１０７における送信周波数帯、及び、ダウンコンバータ１０９における受信周波数帯が制御される。また、割当ＣＣ決定部３０１は、割当結果を符号化／変調部１０３に出力する。割当ＣＣ決定部３０１の処理の詳細を以下に説明する。
【００５１】
＜割当ＣＣ決定部３０１の処理＞
ＡＭＢＲ値が高いデータが伝送途中で失われると、スループットの低下に対する影響が大きい。換言すれば、ＡＭＢＲ値が高いデータほどより確実に移動局へ届けることにより、スループットの向上を望める。つまり、ＡＭＢＲ値が高いデータほどスループットの向上に対する寄与度が大きい。そこで、本実施の形態では、以下のように、ＡＭＢＲ値が高いデータを伝搬特性が良好である低い周波数帯に含まれるＣＣに割り当てる。
【００５２】
図７は、本実施の形態の割当ＣＣ決定部の処理の説明に供する図である。
【００５３】
基地局３０が使用可能な複数の周波数帯のそれぞれに含まれるＣＣの数をＸｉ（ｉ＝１〜Ｍの整数）とする。また、各送信データのＡＭＢＲ値をＡＲSとする。また、設定可能なＡＭＢＲ値の最大値をＡＲmaxとし、ＡＲmaxを整数Ｎで割って得られるそれぞれの範囲をＡＭＢＲ範囲Ｒｊ（ｊ＝１〜Ｎの整数）とする。
【００５４】
割当ＣＣ決定部３０１は、送信データのＡＭＢＲ値ＡＲSが、どのＡＭＢＲ範囲Ｒｊに属するかを式（２）に示すようにして決定する。
【数３】
2013214831.tif 000005
【００５５】
よって例えば、ＡＲmax＝１.６Mbps，Ｎ＝１６，ＡＲS＝２５０kbpsとすると、（ＡＲmax／Ｎ）＝１００kbpsとなり、２００kbps≦ＡＲS＜３００kbpsなので、ＡＲS＝２５０kbpsは範囲Ｒ３に属すると決定される。
【００５６】
次いで、割当ＣＣ決定部３０１は、全周波数帯のＣＣ数に対する特定の周波数帯のＣＣ数Ｘｉの比率に応じて、ＡＭＢＲ範囲Ｒｊを各周波数帯に配分する。
【００５７】
まず、割当ＣＣ決定部３０１は、特定の周波数帯に配分するＡＭＢＲ範囲の数Ｙｉを式（１）により求める。割当ＣＣ決定部３０１は、Ｙｉが小数になる場合は、Ｙｉを四捨五入して整数にする。
【００５８】
割当ＣＣ決定部３０１は、式（１）によりＡＭＢＲ範囲数Ｙｉを求めた後、ＡＭＢＲ範囲の最大値ＲＮからＡＭＢＲ範囲の最小値Ｒ１までのＡＭＢＲ範囲Ｒｊを、基地局３０が使用可能なＭ個の周波数帯において、最も低い周波数帯から順番に配分する。図７に示すように、Ｍ個の周波数帯がそれぞれ、Ｘ１，Ｘ２，Ｘ３…，ＸＭ個のＣＣを含む場合、Ｘｉ個のＣＣを含む周波数帯にはＹＭ個のＡＭＢＲ範囲のうちＹｉ個のＡＭＢＲ範囲が配分される。
【００５９】
そして、割当ＣＣ決定部３０１は、この配分に従って、各送信データのＡＭＢＲ値に基づいて割当ＣＣを決定する。
【００６０】
具体例を以下に示す。図８は、本実施の形態の割当の具体例の説明に供する図である。
【００６１】
基地局３０が使用可能な周波数帯を、８００MHz帯及び２GHz帯の２つの周波数帯とする。また、８００MHz帯が含むＣＣの数をＸ１＝６とし、２GHz帯が含むＣＣの数をＸ２＝２とする。また、ＡＭＢＲ範囲をＲ１〜Ｒ１６の１６個とし、Ｒ１６をＡＭＢＲ範囲の最大値とする。すなわち、Ｒ１６に属するＡＭＢＲ値が最も高く、Ｒ１に属するＡＭＢＲ値が最も低い。また、ＡＭＢＲ値の最大値をＡＲmax＝１.６Mbpsとする。
【００６２】
割当ＣＣ決定部３０１は、式（２）に従って、各Ｒｊを、Ｒ１：０〜１００kbps，Ｒ２：１００〜２００kbps，Ｒ３：２００〜３００kbps，Ｒ４：３００〜４００kbps，Ｒ５：４００〜５００kbps，Ｒ６：５００〜６００kbps，Ｒ７：６００〜７００kbps，Ｒ８：７００〜８００kbps，Ｒ９：８００〜９００kbps，Ｒ１０：９００〜１０００kbps，Ｒ１１：１.０〜１.１Mbps，Ｒ１２：１.１〜１.２Mbps，Ｒ１３：１.２〜１.３Mbps，Ｒ１４：１.３〜１.４Mbps，Ｒ１５：１.４〜１.５Mbps，Ｒ１６：１.５〜１.６Mbpsと求める。なお、「Ａ〜Ｂ」なる記載は、「Ａ以上Ｂ未満の範囲」を表す。
【００６３】
よって、式（１）において、Ｍ＝２，Ｎ＝１６となる。そこで、割当ＣＣ決定部３０１は、式（１）を用いて、実施の形態１と同様にしてＹ１＝１２，Ｙ２＝４と求める。
【００６４】
よって、割当ＣＣ決定部３０１は、図８に示すように、低い周波数帯である８００MHz帯に含まれる６個のＣＣのいずれかに、Ｒ５〜Ｒ１６のいずれかのＡＭＢＲ範囲に属するＡＭＢＲ値が設定された送信データ、すなわち、高い最大伝送レートの送信データを割り当てる。また、割当ＣＣ決定部３０１は、図８に示すように、高い周波数帯である２GHz帯に含まれる２個のＣＣのいずれかに、Ｒ１〜Ｒ４のいずれかのＡＭＢＲ範囲に属するＡＭＢＲ値が設定された送信データ、すなわち、低い最大伝送レートの送信データを割り当てる。よって例えば、ＡＲS＝２５０kbpsに設定された送信データは、２GHz帯のＣＣに割り当てられる。
【００６５】
＜基地局３０の動作＞
図９は、本実施の形態の基地局の動作の説明に供するフローチャートである。なお、図９に示す一連の処理は、１サブフレーム分の送信データに対し繰り返し実行される。
【００６６】
まず、割当ＣＣ決定部３０１は、入力されるＡＭＢＲ値を取得する（ステップＳ４０１）。
【００６７】
次いで、割当ＣＣ決定部３０１は、送信データのＡＭＢＲ値に応じて、割当ＣＣを上記＜割当ＣＣ決定部３０１の処理＞に示すようにして決定する（ステップＳ４０２）。
【００６８】
以上のように本実施の形態によれば、それぞれが複数のＣＣを含む複数の周波数帯のいずれかを用いて通信可能な基地局３０において、割当ＣＣ決定部３０１は、高い最大伝送レートのデータを低い周波数帯に含まれるＣＣに割り当てる一方で、低い最大伝送レートのデータを高い周波数帯に含まれるＣＣに割り当てる。
【００６９】
これにより、最大伝送レートが高いデータほど、より伝搬特性が良好な周波数帯に割り当てられ、よって、スループットを向上させることができる。
【００７０】
［実施の形態３］
本実施の形態は、データの送信先の移動局と基地局との間の距離に基づいて割当ＣＣを決定するものである。
【００７１】
＜基地局５０の構成＞
図１０は、本実施の形態の基地局の構成例を示すブロック図である。図１０において、基地局５０は、符号化／変調部１０３、ＩＦＦＴ部１０４、Ｄ／Ａ変換部１０５、局部信号発生部１０６、アップコンバータ１０７、アンテナ１０８、ダウンコンバータ１０９、Ａ／Ｄ変換部１１０、ＦＦＴ部１１１、復調／復号部１１２、ＴＡ（Timing  Advance）算出部５０１、及び、割当ＣＣ決定部５０２を有する。
【００７２】
ＴＡ算出部５０１は、ＦＦＴ処理後の信号をＦＦＴ部１１１から入力され、入力された移動局毎の信号の受信タイミングから、基地局５０の通信エリア内にあって基地局５０と通信可能な移動局毎のＴＡを算出し、算出したＴＡの値を割当ＣＣ決定部５０２に出力する。
【００７３】
ここで、ＴＡとは、各移動局から送信された信号の基地局での受信タイミングが一致するように、各移動局と基地局との間の距離に応じて、各移動局の送信タイミングを調整するために用いられるものである。すなわち、基地局との距離が長い移動局ほど、より早く送信を開始する必要があるため、より大きなＴＡが算出される。よって、ＴＡは基地局と移動局との間の距離を示す。また、このＴＡを算出するために、ＴＡ算出部５０１は従来の基地局にも備えられているものである。
【００７４】
割当ＣＣ決定部５０２は、ＴＡ算出部５０１から入力されたＴＡ値に基づいて割当ＣＣを決定し、割当結果に応じて、局部信号発生部１０６の周波数を制御する。割当ＣＣ決定部５０２は、割当結果に応じた周波数帯を示す制御信号を局部信号発生部１０６に出力することにより、局部信号発生部１０６が発生するローカル信号の周波数を制御する。これにより、割当結果に応じて、アップコンバータ１０７における送信周波数帯、及び、ダウンコンバータ１０９における受信周波数帯が制御される。また、割当ＣＣ決定部５０２は、割当結果を符号化／変調部１０３に出力する。割当ＣＣ決定部５０２の処理の詳細を以下に説明する。
【００７５】
＜割当ＣＣ決定部５０２の処理＞
上記のように、障害物がある環境では、低い周波数帯の方が、高い周波数帯よりも、遠くまで電波が届きやすい。また、基地局との距離が短い移動局へのデータは、高い周波数帯でも移動局へ届けることができる。そこで、本実施の形態では、ＴＡ値が大きい、すなわち、基地局との距離が長い移動局へのデータを、低い周波数帯に含まれるＣＣに割り当てる。
【００７６】
図１１は、本実施の形態の割当ＣＣ決定部の処理の説明に供する図である。
【００７７】
基地局５０が使用可能な複数の周波数帯のそれぞれに含まれるＣＣの数をＸｉ（ｉ＝１〜Ｍの整数）とする。また、各移動局のＴＡ値をＴＡCとする。また、算出可能なＴＡの最大値をＴＡmaxとし、ＴＡmaxを整数Ｎで割って得られるそれぞれの範囲をＴＡ範囲Ｔｊ（ｊ＝１〜Ｎの整数）とする。
【００７８】
割当ＣＣ決定部５０２は、各移動局のＴＡ値ＴＡCが、どのＴＡ範囲Ｔｊに属するかを式（３）に示すようにして決定する。
【数４】
2013214831.tif 000006
【００７９】
よって例えば、ＴＡmax＝１６０us，Ｎ＝１６，ＴＡC＝２５usとすると、（ＴＡmax／Ｎ）＝１０usとなり、２０us≦ＴＡC＜３０usなので、ＴＡC＝２５usは範囲Ｔ３に属すると決定される。
【００８０】
次いで、割当ＣＣ決定部５０２は、全周波数帯のＣＣ数に対する特定の周波数帯のＣＣ数Ｘｉの比率に応じて、ＴＡ範囲Ｔｊを各周波数帯に配分する。
【００８１】
まず、割当ＣＣ決定部５０２は、特定の周波数帯に配分するＴＡ範囲の数Ｙｉを式（１）により求める。割当ＣＣ決定部５０２は、Ｙｉが小数になる場合は、Ｙｉを四捨五入して整数にする。
【００８２】
割当ＣＣ決定部５０２は、式（１）によりＴＡ範囲数Ｙｉを求めた後、ＴＡ範囲の最大値ＴＮからＴＡ範囲の最小値Ｔ１までのＴＡ範囲Ｔｊを、基地局５０が使用可能なＭ個の周波数帯において、最も低い周波数帯から順番に配分する。図１１に示すように、Ｍ個の周波数帯がそれぞれ、Ｘ１，Ｘ２，Ｘ３…，ＸＭ個のＣＣを含む場合、Ｘｉ個のＣＣを含む周波数帯にはＹＭ個のＴＡ範囲のうちＹｉ個のＴＡ範囲が配分される。
【００８３】
そして、割当ＣＣ決定部５０２は、この配分に従って、各移動局のＴＡ値に基づいて、割当ＣＣを決定する。
【００８４】
具体例を以下に示す。図１２は、本実施の形態の割当の具体例の説明に供する図である。
【００８５】
基地局５０が使用可能な周波数帯を、８００MHz帯及び２GHz帯の２つの周波数帯とする。また、８００MHz帯が含むＣＣの数をＸ１＝６とし、２GHz帯が含むＣＣの数をＸ２＝２とする。また、ＴＡ範囲をＴ１〜Ｔ１６の１６個とし、Ｔ１６をＴＡ範囲の最大値とする。すなわち、Ｔ１６に属するＴＡ値が最も高く、Ｔ１に属するＴＡ値が最も低い。
【００８６】
割当ＣＣ決定部５０２は、式（３）に従って、各Ｔｊを、Ｔ１：０〜１０us，Ｔ２：１０〜２０us，Ｔ３：２０〜３０us，Ｔ４：３０〜４０us，Ｔ５：４０〜５０us，Ｔ６：５０〜６０us，Ｔ７：６０〜７０us，Ｔ８：７０〜８０us，Ｔ９：８０〜９０us，Ｔ１０：９０〜１００us，Ｔ１１：１００〜１１０us，Ｔ１２：１１０〜１２０us，Ｔ１３：１２０〜１３０us，Ｔ１４：１３０〜１４０us，Ｔ１５：１４０〜１５０us，Ｔ１６：１５０〜１６０usと求める。なお、「Ａ〜Ｂ」なる記載は、「Ａ以上Ｂ未満の範囲」を表す。
【００８７】
よって、式（１）において、Ｍ＝２，Ｎ＝１６となる。そこで、割当ＣＣ決定部５０２は、式（１）を用いて、実施の形態１と同様にしてＹ１＝１２，Ｙ２＝４と求める。
【００８８】
よって、割当ＣＣ決定部５０２は、図１２に示すように、低い周波数帯である８００MHz帯に含まれる６個のＣＣのいずれかに、Ｔ５〜Ｔ１６のいずれかのＴＡ範囲に属するＴＡ値を有する移動局への送信データ、すなわち、基地局５０との距離が長い移動局への送信データを割り当てる。また、割当ＣＣ決定部５０２は、図１２に示すように、高い周波数帯である２GHz帯に含まれる２個のＣＣのいずれかに、Ｔ１〜Ｔ４のいずれかのＴＡ範囲に属するＴＡ値を有する移動局への送信データ、すなわち、基地局５０との距離が短い移動局への送信データを割り当てる。よって例えば、ＴＡC＝２５usを有する移動局への送信データは、２GHz帯のＣＣに割り当てられる。
【００８９】
＜基地局５０の動作＞
図１３は、本実施の形態の基地局の動作の説明に供するフローチャートである。なお、図１３に示す一連の処理は、１サブフレーム分の送信データに対し繰り返し実行される。
【００９０】
まず、ＴＡ算出部５０１は、移動局毎のＴＡ値を抽出する（ステップＳ６０１）。
【００９１】
次いで、割当ＣＣ決定部５０２は、移動局毎のＴＡ値に応じて、割当ＣＣを上記＜割当ＣＣ決定部５０２の処理＞に示すようにして決定する（ステップＳ６０２）。
【００９２】
以上のように本実施の形態によれば、それぞれが複数のＣＣを含む複数の周波数帯のいずれかを用いて通信可能な基地局５０において、割当ＣＣ決定部５０２は、ＴＡ値が大きい移動局（すなわち、基地局５０と遠い距離にある移動局）へのデータを低い周波数帯に含まれるＣＣに割り当てる一方で、ＴＡ値が小さい移動局（すなわち、基地局５０と近い距離にある移動局）へのデータを高い周波数帯に含まれるＣＣに割り当てる。
【００９３】
これにより、基地局５０との距離が遠い移動局へのデータほど、より伝搬特性が良好な周波数帯に割り当てられ、よって、スループットを向上させることができる。
【００９４】
［実施の形態４］
本実施の形態は、移動局からランダムアクセスチャネルを介して送信されたプリアンブル信号の受信試行回数に基づいて割当ＣＣを決定するものである。
【００９５】
＜基地局７０の構成＞
図１４は、本実施の形態の基地局の構成例を示すブロック図である。図１４において、基地局７０は、符号化／変調部１０３、ＩＦＦＴ部１０４、Ｄ／Ａ変換部１０５、局部信号発生部１０６、アップコンバータ１０７、アンテナ１０８、ダウンコンバータ１０９、Ａ／Ｄ変換部１１０、ＦＦＴ部１１１、復調／復号部１１２、プリアンブル受信部７０１、及び、割当ＣＣ決定部７０２を有する。
【００９６】
プリアンブル受信部７０１は、ＦＦＴ処理後の信号をＦＦＴ部１１１から入力され、入力された信号のうち、ＲＡＣＨ（Random  Access  Channel；ランダムアクセスチャネル）を介して移動局から送信されたプリアンブル信号を受信する。また、プリアンブル受信部７０１は、プリアンブル信号の受信に成功するまで、所定の時間間隔で、プリアンブル信号の受信を繰り返し試行する。また、プリアンブル受信部７０１は、移動局毎にプリアンブル信号の受信試行回数をカウントし、カウントした受信試行回数と、受信試行回数の閾値Ｔｈとを比較する。そして、プリアンブル受信部７０１は、受信試行回数が閾値Ｔｈに達するまでに（閾値Ｔｈ以下で）プリアンブル信号の受信に成功したときに、受信成功通知を割当ＣＣ決定部７０２に出力する。一方で、プリアンブル受信部７０１は、受信試行回数が閾値Ｔｈを超えたとき、すなわち、プリアンブル信号の受信に失敗したときに、受信失敗通知を割当ＣＣ決定部７０２に出力する。プリアンブル受信部７０１は、受信成功通知または受信失敗通知を出力すると、受信試行回数を０にリセットする。
【００９７】
ここで、ＲＡＣＨとは、移動局から基地局への初期アクセスに用いられるチャネルである。移動局は、基地局への初期アクセス時にＲＡＣＨを用いて、基地局への接続要求、及び、基地局への帯域割当要求等を行うためのプリアンブル信号を基地局へ送信する。また、移動局は、基地局が移動局との通信に使用可能な複数の周波数帯の中からいずれか１つの周波数帯をランダムに選択し、その選択した周波数帯のＲＡＣＨを用いてプリアンブル信号を送信する。この際、移動局は、送信電力を徐々に上げながら、所定の時間間隔で繰り返しプリアンブル信号を送信する。また、基地局が移動局との通信に使用可能な複数の周波数帯のそれぞれの伝搬環境は、各々独立に時々刻々と変化する。よって、移動局が選択した周波数帯の伝搬環境が、プリアンブル信号送信時に良ければ、基地局は、受信試行回数が閾値Ｔｈに達するまでにプリアンブル信号の受信に成功する。一方で、移動局が選択した周波数帯の伝搬環境が、プリアンブル信号送信時に悪ければ、受信試行回数が閾値Ｔｈを超え、基地局はプリアンブル信号の受信に失敗する。
【００９８】
そこで、割当ＣＣ決定部７０２は、プリアンブル受信部７０１から入力される通知に基づいて割当ＣＣを決定し、割当結果に応じて、局部信号発生部１０６の周波数を制御する。割当ＣＣ決定部７０２は、割当結果に応じた周波数帯を示す制御信号を局部信号発生部１０６に出力することにより、局部信号発生部１０６が発生するローカル信号の周波数を制御する。これにより、割当結果に応じて、アップコンバータ１０７における送信周波数帯、及び、ダウンコンバータ１０９における受信周波数帯が制御される。また、割当ＣＣ決定部７０２は、割当結果を符号化／変調部１０３に出力する。
【００９９】
割当ＣＣ決定部７０２は、プリアンブル受信部７０１から成功通知を入力されたとき、すなわち、プリアンブル信号の受信試行回数が閾値Ｔｈ以下のときには、移動局が選択した周波数帯の伝搬環境が良いと判断し、プリアンブル信号の受信に用いられた周波数帯と同一の周波数帯に含まれるＣＣに送信データを割り当てる。一方で、割当ＣＣ決定部７０２は、プリアンブル受信部７０１から失敗通知を入力されたとき、すなわち、プリアンブル信号の受信試行回数が閾値Ｔｈより大きいときには、移動局が選択した周波数帯の伝搬環境が悪いと判断し、プリアンブル信号の受信に用いられた周波数帯と異なる周波数帯に含まれるＣＣに送信データを割り当てる。
【０１００】
例えば、基地局７０が使用可能な周波数帯を８００MHz帯及び２GHz帯の２つの周波数帯とし、移動局が２GHz帯のＲＡＣＨを用いてプリアンブル信号を送信したとする。この場合において、割当ＣＣ決定部７０２は、プリアンブル受信部７０１から成功通知を入力されると、２GHz帯のＣＣに送信データを割り当てる。一方で、割当ＣＣ決定部７０２は、プリアンブル受信部７０１から失敗通知を入力されると、８００MHz帯のＣＣに送信データを割り当てる。
【０１０１】
＜基地局７０の動作＞
図１５は、本実施の形態の基地局の動作の説明に供するフローチャートである。なお、図１５に示す一連の処理は、１サブフレーム分の送信データに対し繰り返し実行される。
【０１０２】
プリアンブル受信部７０１は、プリアンブル信号の受信試行回数をカウントし、受信成功通知、または、受信失敗通知を割当ＣＣ決定部７０２に出力する（ステップＳ８０１）。
【０１０３】
割当ＣＣ決定部７０２は、プリアンブル受信部７０１から失敗通知を入力されたとき、すなわち、プリアンブル信号の受信試行回数が閾値Ｔｈより大きいときには（ステップＳ８０２：Ｙｅｓ）、プリアンブル信号の受信に用いられた周波数帯と異なる周波数帯のＣＣを割当ＣＣに決定する（ステップＳ８０３）。
【０１０４】
一方、割当ＣＣ決定部７０２は、プリアンブル受信部７０１から成功通知を入力されたとき、すなわち、プリアンブル信号の受信試行回数が閾値Ｔｈ以下のときには（ステップＳ８０２：Ｎｏ）、プリアンブル信号の受信に用いられた周波数帯と同一の周波数帯のＣＣを割当ＣＣに決定する（ステップＳ８０４）。
【０１０５】
以上のように本実施の形態によれば、それぞれが複数のＣＣを含む複数の周波数帯のいずれかを用いて通信可能な基地局７０において、割当ＣＣ決定部７０２は、プリアンブル信号の受信試行回数が閾値Ｔｈ以下のときには、プリアンブル信号の受信に用いられた周波数帯と同一の周波数帯に含まれるＣＣにデータを割り当てる一方で、プリアンブル信号の受信試行回数が閾値Ｔｈより大きいときには、プリアンブル信号の受信に用いられた周波数帯と異なる周波数帯に含まれるＣＣにデータを割り当てる。
【０１０６】
これにより、伝搬環境が悪い周波数帯のＣＣにデータが割り当てられることを避けることができるので、スループットを向上させることができる。
【０１０７】
［実施の形態５］
本実施の形態では、実施の形態１〜４の基地局１０，３０，５０，７０と通信可能な移動局９０について説明する。すなわち、移動局９０は、それぞれが複数のＣＣを含む複数の周波数帯のいずれかを用いて基地局１０，３０，５０，７０と通信可能なものである。また、移動局９０は、複数のＣＣのいずれかに、データの優先度（実施の形態１）、データのＡＭＢＲ値（実施の形態２）、移動局９０と基地局５０との間の距離（実施の形態３）、または、ＲＡＣＨのプリアンブル信号の受信試行回数（実施の形態４）に基づいて割り当てられたデータ、及び、割当結果を受信するものである。
【０１０８】
＜移動局９０の構成＞
図１６は、本実施の形態の移動局の構成例を示すブロック図である。図１６において、移動局９０は、アンテナ９０１、ダウンコンバータ９０２、Ａ／Ｄ変換部９０３、ＦＦＴ部９０４、周波数制御部９０５、局部信号発生部９０６、復調／復号部９０７、符号化／変調部９０８、ＩＦＦＴ部９０９、Ｄ／Ａ変換部９１０、及び、アップコンバータ９１１を有する。
【０１０９】
ダウンコンバータ９０２は、基地局１０，３０，５０，７０から送信されたＯＦＤＭ信号をアンテナ９０１を介して受信し、受信したＯＦＤＭ信号と、局部信号発生部９０６から入力されるローカル信号とをミキサしてＯＦＤＭ信号の周波数をダウンコンバートし、ダウンコンバート後のＯＦＤＭ信号をＡ／Ｄ変換部９０３に出力する。
【０１１０】
Ａ／Ｄ変換部９０３は、アナログのＯＦＤＭ信号をデジタルのＯＦＤＭ信号に変換し、変換後のＯＦＤＭ信号をＦＦＴ部９０４に出力する。
【０１１１】
ＦＦＴ部９０４は、Ａ／Ｄ変換後のＯＦＤＭ信号にＦＦＴ処理を施し、ＦＦＴ処理後の信号を復調／復号部９０７に出力する。
【０１１２】
復調／復号部９０７は、ＦＦＴ処理後の信号を復調後に復号して、受信データを得る。復調／復号部９０７は、得られた受信データを周波数制御部９０５に出力する。なお、復調／復号部９０７で得られる受信データは、基地局１０，３０，５０，７０での割当結果、または、基地局１０，３０，５０，７０によってＣＣに割り当てられたデータである。割当結果は、各ＣＣに割り当てられたデータに先だって受信される。
【０１１３】
周波数制御部９０５は、割当結果に応じて、局部信号発生部９０６の周波数を制御する。周波数制御部９０５は、割当結果に応じた周波数帯を示す制御信号を局部信号発生部９０６に出力することにより、局部信号発生部９０６が発生するローカル信号の周波数を制御する。これにより、割当結果に応じて、ダウンコンバータ９０２における受信周波数帯、及び、アップコンバータ９１１における送信周波数帯が制御される。
【０１１４】
局部信号発生部９０６は、周波数制御部９０５から入力される制御信号に従った周波数のローカル信号を発生してダウンコンバータ９０２及びアップコンバータ９１１に出力する。なお、局部信号発生部９０６は、割当結果の受信時には、所定の周波数のローカル信号を発生してダウンコンバータ９０２に出力する。
【０１１５】
符号化／変調部９０８は、送信データを符号化後に変調し、変調後のデータをＩＦＦＴ部９０９に出力する。
【０１１６】
ＩＦＦＴ部９０９は、変調後のデータにＩＦＦＴ処理を施してＯＦＤＭ信号を生成し、生成したＯＦＤＭ信号をＤ／Ａ変換部９１０に出力する。
【０１１７】
Ｄ／Ａ変換部９１０は、デジタルのＯＦＤＭ信号をアナログのＯＦＤＭ信号に変換し、変換後のＯＦＤＭ信号をアップコンバータ９１１に出力する。
【０１１８】
アップコンバータ９１１は、Ｄ／Ａ変換部９１０から入力されるＯＦＤＭ信号と、局部信号発生部９０６から入力されるローカル信号とをミキサしてＯＦＤＭ信号の周波数をアップコンバートし、アップコンバート後のＯＦＤＭ信号をアンテナ９０１を介して基地局１０，３０，５０，７０へ送信する。
【０１１９】
なお、ＯＦＤＭ信号にはＣＰが付加されてもよい。この場合には、ＦＦＴ部９０４の入力段でＣＰが除去され、ＩＦＦＴ部９０９の出力段でＣＰが付加される。
【０１２０】
以上のように本実施の形態によれば、それぞれが複数のＣＣを含む複数の周波数帯のいずれかを用いて通信可能な移動局９０において、ダウンコンバータ９０２は、基地局１０，３０，５０，７０によっていずれかのＣＣに割り当てられたデータ、及び、割当結果を受信する。また、周波数制御部９０５は、通信可能な複数の周波数帯においてダウンコンバータ９０２の受信周波数帯を割当結果に応じて制御する。
【０１２１】
これにより、移動局９０は、基地局１０，３０，５０，７０によって最適なＣＣに割り当てられたデータを受信することができる。
【０１２２】
［他の実施の形態］
＜基地局のハードウェア構成＞
実施の形態１〜４の基地局１０，３０，５０，７０は、次のようなハードウェア構成により実現することができる。
【０１２３】
図１７は、基地局のハードウェア構成例を示す図である。図１７に示すように、基地局１０，３０，５０，７０は、ハードウェア的には、ＤＳＰ（Digital  Signal  Processor）１１と、ＦＰＧＡ（Field-Programmable  Gate  Array）１２と、ＲＦ回路１３と、アンテナ１０８とを有する。符号化／変調部１０３、復調／復号部１１２、ＬＣＨプライオリティ抽出部１０１、ＴＡ算出部５０１、プリアンブル受信部７０１、及び、割当ＣＣ決定部１０２，３０１，５０２，７０２は、ＤＳＰ１１により実現される。ＩＦＦＴ部１０４及びＦＦＴ部１１１は、ＦＰＧＡ１２により実現される。Ｄ／Ａ変換部１０５、Ａ／Ｄ変換部１１０、アップコンバータ１０７、ダウンコンバータ１０９、及び、局部信号発生部１０６は、ＲＦ回路１３により実現される。
【０１２４】
＜移動局のハードウェア構成＞
実施の形態５の移動局９０は、次のようなハードウェア構成により実現することができる。
【０１２５】
図１８は、移動局のハードウェア構成例を示す図である。図１８に示すように、移動局９０は、ハードウェア的には、アンテナ９０１と、ＲＦ回路９１と、ＦＰＧＡ９２と、ＤＳＰ９３と、タッチパネル９４と、ＬＣＤ（Liquid  Crystal  Display）９５と、メモリ９６とを有する。ダウンコンバータ９０２、アップコンバータ９１１、Ａ／Ｄ変換部９０３、及び、Ｄ／Ａ変換部９１０は、ＲＦ回路９１により実現される。ＦＦＴ部９０４及びＩＦＦＴ部９０９は、ＦＰＧＡ９２により実現される。割当ＣＣデータ取得部９０５、割当ＣＣ抽出部９０６、復調／復号部９０７、及び、符号化／変調部９０８は、ＤＳＰ９３により実現される。
【０１２６】
以上、本発明の実施の形態について説明した。
【０１２７】
なお、上記実施の形態では、ＯＦＤＭ信号が送信及び受信される場合について説明した。しかし、送信及び受信される信号は、ＯＦＤＭ信号に限定されない。すなわち、上記に開示の技術はマルチキャリア信号だけでなく、シングルキャリアの信号にも上記同様にして実施可能である。上記に開示の技術をシングルキャリアの信号に適用する場合には、図２，６，１０，１４においてＩＦＦＴ部１０４及びＦＦＴ部１１１が不要となり、図１６においてＦＦＴ部９０４及びＩＦＦＴ部９０９が不要となる。
【符号の説明】
【０１２８】
１０，３０，５０，７０  基地局
１１，９３  ＤＳＰ
１２，９２  ＦＰＧＡ
１３，９１  ＲＦ回路
９０  移動局
９４  タッチパネル
９５  ＬＣＤ
９６  メモリ
１０１  ＬＣＨプライオリティ抽出部
１０２，３０１，５０２，７０２  割当ＣＣ決定部
１０３，９０８  符号化／変調部
１０４，９０９  ＩＦＦＴ部
１０５，９１０  Ｄ／Ａ変換部
１０６，９０６  局部信号発生部
１０７，９１１  アップコンバータ
１０８  アンテナ
１０９，９０２  ダウンコンバータ
１１０，９０３  Ａ／Ｄ変換部
１１１，９０４  ＦＦＴ部
１１２，９０７  復調／復号部
５０１  ＴＡ算出部
７０１  プリアンブル受信部
９０５  周波数制御部
【図１】
2013214831.tif 000007
【図２】
2013214831.tif 000008
【図３】
2013214831.tif 000009
【図４】
2013214831.tif 000010
【図５】
2013214831.tif 000011
【図６】
2013214831.tif 000012
【図７】
2013214831.tif 000013
【図８】
2013214831.tif 000014
【図９】
2013214831.tif 000015
【図１０】
2013214831.tif 000016
【図１１】
2013214831.tif 000017
【図１２】
2013214831.tif 000018
【図１３】
2013214831.tif 000019
【図１４】
2013214831.tif 000020
【図１５】
2013214831.tif 000021
【図１６】
2013214831.tif 000022
【図１７】
2013214831.tif 000023
【図１８】
2013214831.tif 000024